(57)【要約】【課題】  カーソル表示とダイヤル座標指示装置と２次元座標指示装置の操作方向が関連付けられた操作性に優れた情報表示装置が提供する。【解決手段】  １つの回転軸を中心とした回転機構を備えたダイヤル座標指示装置１８と前記回転軸の中心から放射状の方向へ座標を指示する２次元座標指示装置１９とを備えた操作装置１０と、メニュー画面１００を表示する表示装置２と、前記操作装置１０からの操作信号に基づいて前記表示装置２に表示するメニュー画面１００のカーソル１１０を移動させて各種の情報を選択して表示する情報表示装置１であって、前記制御装置４が、前記２次元座標指示装置１９からの移動方向の操作信号を受け付けて、前記カーソル１１０の表示形態を前記移動方向に対応した形状に変更し、前記ダイヤル座標指示装置１８からの回転方向の操作信号を受け付けて、前記回転方向の操作信号を前記カーソル１１０の表示形態に沿った移動方向に置き換えて前記カーソル１１０を移動させるようにする。【選択図】  図１
2008243117.tif 000002
【特許請求の範囲】
【請求項１】
１つの回転軸を中心とした回転機構を備えたダイヤル座標指示装置と前記回転軸の中心から放射状の方向へ座標を指示する２次元座標指示装置とを備えた操作装置と、メニュー画面を表示する表示装置と、前記操作装置からの操作信号に基づいて前記表示装置に表示するメニュー画面のカーソルを移動させて各種の情報を選択して表示する情報表示装置において、
前記制御装置は、前記２次元座標指示装置からの移動方向の操作信号を受け付けて、前記カーソルの表示形態を前記移動方向に対応した形状に変更し、前記ダイヤル座標指示装置からの回転方向の操作信号を受け付けて、前記回転方向の操作信号を前記カーソルの表示形態に沿った移動方向に置き換えて前記カーソルを移動させる
ことを特徴とする情報表示装置。
【請求項２】
前記請求項１記載の情報表示装置において、
前記制御装置は、前記２次元座標指示装置からの移動方向の操作信号を受け付けて、前記移動方向にカーソルを移動させる
ことを特徴とする情報表示装置。
【発明の詳細な説明】
【技術分野】
【０００１】
本発明は、１つの回転軸を中心とした回転操作を行うダイヤルキーと、前記回転軸から放射状に操作指示を行う十字キーとを併用した操作装置を用いて、表示画面上に表示したカーソルを移動させる情報表示装置に関するものである。
【背景技術】
【０００２】
各種の携帯情報端末機やリモコンにおいては、１つの回転軸を中心とした回転操作を行うダイヤルキーと、前記回転軸から放射状に操作指示を行う十字キーとを併用した操作装置を用いて、表示画面上に表示するカーソルを移動させるものが広く普及している。
【０００３】
これら操作装置は、例えば、図７に示す（ａ）図のように、上下左右の操作を行う円形の十字キー１９の周囲に回転操作が可能なリング状のダイヤル１８を設けた操作装置１６や、（ｂ）図に示すように、回転操作が可能な円形のダイヤル１８ｂの周囲に上下左右の操作を行うリング状の十字キー１９ｂを設けた操作装置１６ｂや、（ｃ）図に示すように、上下左右の十字キー自体が回転操作可能にした構造の操作装置１６ｃが提案されている。
【０００４】
また、これらの操作装置は、操作画面やメニュー画面に表示される複数のボタンの選択に用いられるのが一般的である。
【０００５】
【特許文献１】特開２００５−９２５２１号公報
【特許文献２】特開平１１−２１８８１７号公報
【発明の開示】
【発明が解決しようとする課題】
【０００６】
表示装置に表示される操作画面やメニュー画面を前記操作装置を用いて操作する場合、円環状のメニューやリストのメニューなど１次元上に並んだメニューは、ダイアルを回してカーソルがどちらに動くかが分かりやすいが、一般的なメニュー画面で用いられる２次元方向に（縦横に）並んだメニューを操作する場合はジョグダイアルの回転に対してカーソルがどちらの方向に動くか分からないという課題がある。
【０００７】
例えば、図７（ｄ）に示したようなリング状に操作ボタンが配列されたメニュー画面４０１では、どの方向にカーソルが移動するかわかりやすい。
【０００８】
しかし、（ｅ）に示すような上下方向に操作ボタンが配列された１次元上のメニュー画面４０２では、カーソルが移動する軸はわかりやすいが、どちらの方向に移動するかはわかりにくい。また、（ｆ）図に示すように、操作ボタンが上下左右に配列される２次元方向の配列を備えたメニュー画面４０３ではどの軸上やどの方向にカーソルが移動するかわかりにくいという課題がある。
【０００９】
そこで、この発明の目的とするところは、カーソル表示とダイヤル座標指示装置と２次元座標指示装置の操作方向が関連付けられた操作性に優れた情報表示装置を提供することにある。
【課題を解決するための手段】
【００１０】
本発明では、前記目的を達成するために、１つの回転軸を中心とした回転機構を備えたダイヤル座標指示装置と前記回転軸の中心から放射状の方向へ座標を指示する２次元座標指示装置とを備えた操作装置と、メニュー画面を表示する表示装置と、前記操作装置からの操作信号に基づいて前記表示装置に表示するメニュー画面のカーソルを移動させて各種の情報を選択して表示する情報表示装置において、前記制御装置が、前記２次元座標指示装置からの移動方向の操作信号を受け付けて、前記カーソルの表示形態を前記移動方向に対応した形状に変更し、前記ダイヤル座標指示装置からの回転方向の操作信号を受け付けて、前記回転方向の操作信号を前記カーソルの表示形態に沿った移動方向に置き換えて前記カーソルを移動させるようにする
【発明の効果】
【００１１】
本発明によれば、カーソル表示とダイヤル座標指示装置と２次元座標指示装置の操作方向が関連付けられた操作性に優れた情報表示装置を提供することができる。
【発明を実施するための最良の形態】
【００１２】
以下、図１から図６を参照して、この実施の形態に係る情報表示装置を詳細に説明する。ここで、図１から図４が第1の実施の形態を示し、図５が第２の実施の形態を示し、図６が第３の実施の形態を示している。なお、同一部位や矢印などは同一符号を持って示して重複した説明を省略する。
（第１の実施の形態）
先ず、図１から図４を参照して、この第１の実施の形態に係る情報表示装置を詳細に説明する。図１はこの実施の形態に係る情報表示装置の概略構成図である。図２は動作フロー図である。図３は、選択状態のカーソルの状態表示部の表示形態図である。図４はカーソルの動作画面である。
【００１３】
先ず、図１を参照して、この情報表示装置の概略構造を説明する。図１において、この実施の形態に係る情報表示装置１は、極一般的なパーソナルコンピュータで実現することができる。図１に示す実施の形態では、情報処理装置本体３と、表示装置２と、遠隔操作が可能なリモコン１０とから構成する。情報処理装置本体３は、この情報表示装置１を統括的に制御するマイコンなどからなる制御装置４と、ハードデイスク装置などの記憶装置５と、地上波やケーブルテレビや衛星放送などの各種の映像情報を受信可能なチューナ部６と、前記リモコン１０からの操作信号を受信する受光部７とを含んで構成される。
【００１４】
一方、表示装置２は前記情報処理装置本体３とコードを介して接続され、各種の映像情報を表示することができる。特に、この実施の形態に係る情報表示装置１では、この表示装置２に各種の情報を選択するメニュー画面１００を表示して、このメニュー画面１００で検索される映像コンテンツやテレビ放送を表示することができる。
【００１５】
前記リモコン１０は、状態表示や入力操作の確認を行う表示装置１２と、操作指示を入力する操作装置１５と、電池からなる電源１４と、前記受光部７に赤外線の操作信号を発信する操作信号発信装置１３とを含んで構成される。前記操作装置１５は、１つの回転軸を中心とした回転機構を備えたダイヤル座標指示装置１８（以下ダイヤルという）と、前記回転軸の中心から放射状の方向へ座標を指示する２次元座標指示装置１９（以下十字キーという）とを備えた主操作装置１６と複数の各種操作ボタンからなるサブ操作装置１７とを含んで構成される。この実施の形態に係る主操作装置１６は上下左右の操作を行う円形の十字キー１９の周囲に回転操作が可能なリング状のダイヤル１８とを組み合わせた構造としている。
【００１６】
この情報表示装置１によれば、前記リモコン１０の操作装置１５を介して各種の操作を受け付けることにより、この操作指示を前記受光部７で受信して前記表示装置２に操作指示に基づいた各種の情報を表示することができる。
【００１７】
そして、この情報表示装置１の大きな特徴の１つは、十字キー１９とダイヤル１８とを一体化した主操作装置１６をリモコン１０に備えて、この主操作装置１６に最適なメニュー画面１００を表示装置２に表示して、各種の情報を選択可能にした点である。
【００１８】
即ち、この情報表示装置１では、メニュー画面１００で用いられる２次元方向、例えば、縦と横に操作ボタンが並んだメニューを操作する場合は、十字キー１９にカーソル１１０の移動方向を示す表示形態の変更指示を割り当て、ダイヤル１８には前記カーソル１１０の移動方向に沿った移動指示を割当てた点にある。
【００１９】
従来の情報表示装置では、メニュー画面を表示させるとカーソルが所定位置に表示され、このカーソルをリモコンの十字キーなどで移動させ、目的の指示ボタンのところで決定操作を行うことで、コンテンツの選択などを実行させている。従来、このカーソルの移動には十字キーやダイヤルを用いて移動させるものが一般的である。ここで、十字キーの操作はカーソルを１個づつ移動させるのに適しており、また、ダイヤルは移動量が多いときの移動指示に適している。近年の多局化が進んでいるために、電子テレビ番組表での選局に際しては、移動量を多くできるダイヤルを介してカーソルを移動指示させるリモコンが増えている。しかし、このダイヤルでの選局は微調整ができないために、十字キー１９とダイヤル１８とを一体化した主操作装置１６を備えたリモコンが増えている。
【００２０】
しかしながら、この２つの操作指示を行う主操作装置１６では、この２つの操作装置の移動方向の指示操作と強調表示されるカーソルの移動方向との関連性が取り難いと言う課題がある。特に、ダイヤルは、操作ボタンが縦と横に配列された２次元配列では、ダイヤルの回転方向とカーソルの移動方向とのリンクが分からず誤動作を招く課題がある。
【００２１】
そこで、この実施の形態では、操作ボタン１２０が縦と横に配列された２次元配列のメニュー画面１００では、カーソル１１０を移動方向を示す表示を備えた形態で表示し、ダイヤル１８が操作されると、このカーソル１１０が表示形態で示す移動方向に移動させるようにする。そして、２次元配列を備えたメニュー画面１００のカーソルの移動方向とリンクした十字キー１９は、前記カーソル１１０に移動方向の形態を変更支持する操作手段として機能させる。
【００２２】
例えば、図１の例では、カーソル１１０の表示形態が左右方向の移動方向となっているので、ダイヤル１８を時計方向に回転させればカーソル１１０を右に移動させ、反時計方向に回転させればカーソル１１０を左方向に移動させることができる。ここで、十字キー１９を介して上または下方向に操作指示すれば、カーソル１１０の表示形態は上下方向の表示形態に変化するので、ダイヤル１８を回転させれば、カーソル１１０は上方または下方に移動することとなる。
【００２３】
また、この実施の形態の他の大きな特徴とするところは、十字キー１９にカーソル１１０の移動方向を示す表示形態の変更指示を割り当てるとともに、この操作にともなって、カーソル１１０を操作指示方向に移動させる機能をも割当てた点にある。
【００２４】
この構造によれば、十字キー１９の操作で１個１個の移動のような繊細な移動操作を行わせるとともに、ダイヤル１８の操作ではカーソル１１０を大きく移動させることができるので、多数の情報が表形式で表示される情報の選択に適した操作装置を提供することができる。しかも、この操作指示の際には、表示装置２に表示されるカーソル１１０に移動方向が形態で表されるので、ブラインドタッチでのリモコン１０の操作の操作感が得られる。
【００２５】
以下、図２から図４を参照して、この実施の形態に係る情報表示装置の操作方法を説明する。ここで、以後の説明では、カーソル１１０の移動や形態の変化をリモコン１０の制御装置１１で制御することで説明するが、これらのカーソル１１０の移動や形態の変化を情報処理装置本体３の制御装置４で行っても良い。この場合、リモコン１０の制御装置１１でリモコン１０の操作指示を信号化して情報処理装置本体３に送信し、この操作指示に基づいて表示装置２の表示を制御するようにする。
【００２６】
先ず、図２において、制御装置４は、この情報表示装置１が起動すると、立ち上がった表示画面に図示しない起動アイコンを表示して、この起動アイコンが選択操作されると、図４の（ｃ）図に示すような、複数の操作ボタン１２０が縦と横に配列される2次元配列のメニュー画面１２０を表示する（ステップ５０２）。ここで、この実施の形態では、パーソナルコンピュータに適用した事例で説明したが、専用テレビに採用しても良い。この場合、電源がONされた専用テレビ（情報表示装置１）は、前回選局されたテレビチャンネルを表示装置２に表示し、サブ操作装置１７の１つのボタンに割り当てられるメニューボタンの操作により前記メニュー画面１２０を表示するようにする。
【００２７】
ここで、前記メニュー画面１２０では、カーソル１１０がメニュー画面１２０の予め設定された操作ボタン１２０ａを強調表示して、当該操作ボタン１２０ａが選択状態であること示している。また、このカーソル１１０は、その表示形態が、上または下、あるいは左または右方向の何れかの方向を示す形態として表示することができ、前記メニュー画面１２０を表示するに当たっては、初期値として、前記４つの表示形態の内で特定の１の表示形態で常に表示される。このカーソル１１０の表示形態を図３で更に説明する。
【００２８】
図３において、この実施の形態では、複数の操作ボタン１２０が縦と横に配列された２次元配列となっているので、カーソル１１０は、縦方向の上または下方向と、横方向の左または右方向の４種類の形態に変化する。
【００２９】
即ち、図３の（ａ）と（ｂ）図に示すカーソル１１０は、上下方向の表示形態を表したものである。（ａ）図はダイヤル１８を時計方向に回転させると下方向にカーソル１１０を移動させることを示す表示形態であり、（ｂ）図はダイヤル１８を方向に回転させるとカーソル１１０を上方に移動させることを示す表示形態である。
【００３０】
一方、図３の（ｃ）と（ｄ）図に示すカーソル１１０は、左右方向の表示形態を表したものである。（ｃ）図はダイヤル１８を時計方向に回転させると右側にカーソル１１０を移動させる表示形態であり、（ｄ）図はダイヤル１８を方向に回転させるとカーソル１１０を左側に移動させることを示す表示形態である。
【００３１】
この実施の形態では、メニュー画面１２０の表示にあたり、例えば、（ａ）図の形態を備えたカーソル１１０で表示する。そして、十字キー１９の上キーが操作されるとカーソル１１０を（ｂ）図の表示形態に変化させ、右キーが操作されると（ｃ）図、左キーが操作されると（ｄ）図の表示形態に変化させることができる。
ここで、上下方向の移動は（ａ）または（ｂ）の何れか一方の表示形態、左右方向の移動は（ｃ）または（ｄ）の何れか一方の表示形態としても、ダイヤル１８の回転方向とカーソルの移動方向とを対応付けて表示することは可能である。例えば、（ａ）と（ｃ）、（ｂ）と（ｄ）のように、2種類の表示形態だけでも良い。
【００３２】
なお、カーソル１１０の移動方向を示す表示形態は図３の（ａ）図から（ｄ）図に示す形態に限定されるものではなく、利用者が、当該カーソル１１０を見て移動方向が認識できる形態であればよい。例えば、図３の（ｅ）図に示すように、操作ボタン１２０の周囲を囲う枠体と回転移動方向を示す矢印とを分けて表示する形態でも良い。
【００３３】
次に、図２の動作フロー図と、図４の画面遷移図を参照して、カーソル１１０の移動指示とその表示形態を更に説明する。ここで、図４の（ａ）図は、主操作装置１６の十字キー１９の操作状態を示し、（ｂ）図はダイヤル１８を回転させる状態を示している。
【００３４】
図２において、リモコン１０の制御装置１１は、十字キー１９が操作されたか(ステップ５０４)、ダイヤル１８が操作されたか（ステップ５１２）を監視している。
【００３５】
初期画面である図４の（ｃ）図に示すメニュー画面１２０を表示（ステップ５０４）した後に、十字キー１９が操作されない（ステップ５０４）で、ダイヤル１８が回転操作される（ステップ５１２）と、制御装置１１はメニュー画面１２０で表示されているカーソル１１０の表示形態でカーソル１１０を移動させる（ステップ５１４）。例えば、図４の（ｃ）図に示す状態で、ダイヤル１８を時計方向に回転させればカーソル１１０を下方のＰ２の方向に移動させ、逆に方向にダイヤル１８を回転させれば、カーソル１１０の表示形態を図３の（ｂ）図の形態に変化させてＰ１の方向に移動させる。
【００３６】
一方、ステップ５０４において、十字キー１９が操作されて、当該操作が左右キーであると制御装置１１が判定すると（ステップ５０６）、制御装置１１はカーソル１１０の表示形態を図３の（ｃ）図または（ｄ）図の形態に変化させ、十字キー１９で操作された操作方向にカーソル１１０を１個移動させる（ステップ５１０）。
【００３７】
例えば、図４の（ｃ）図の状態から、（ａ）図に示すように操作装置１５の十字キー１９の右キーが操作された場合、制御装置１１は、カーソル１１０の表示形態を図３の（ａ）図から図３の（ｃ）図に形態を変化させ、更に、（ｄ）図に示すように、表示形態を変化させたカーソル１１０を右側の操作ボタン１２０ｂに１個移動させる。この状態で、図４の（ｂ）図に示すように、ダイヤル１８を時計方向に回転させれば、図４の（ｅ）図に示すように、カーソル１１０を右方向に更に移動させる。一方、図４の（ｄ）図の状態で、反時計方向回転させれば、図４（ｄ）図のカーソル１１０を図３の（ｄ）図の表示形態に変化させて、左方向に形態を変化させたカーソル１１０を移動させる。
【００３８】
また、ステップ５０６において、十字キー１９の上下カーソルが操作されると、制御装置１１はカーソル１１０の表示形態を図３の（ａ）図に変化させる（ステップ５１６）ことになるが、この状態ではすでに変化しているので、この表示形態を維持したまま、前記したようにＰ１またはＰ２に一個カーソルを移動させる。
【００３９】
以上の説明では、ステップ５１０またはステップ５１８において、十字キー１９が操作されると、カーソル１１０を十字キー１９で操作された方向に１個移動させることで説明したが、これに限定されるものではなく、十字キー１９を押下する時間に対応して移動距離（個数）を設定してもよいし、また、このステップ自体をなくしても良い。更には、例えば、図３の（ａ）図の状態で十字キー１９の下キーが操作された場合は、カーソルを下方に１個移動させ、逆にこの状態で上キーが操作された場合は、表示形態のみを（ｂ）図に変化させ、移動させないようにしても良い。
【００４０】
このように、この実施の形態によれば、ダイヤルを回したときにカーソルの動く方向をカーソル上に表現し、ダイヤルとカーソルの動きとの対応関係を分かりやすくすることができる。
（第２の実施の形態）
図５は、第２の実施の形態を示すメニュー画面１３０を示している。この実施の形態では、十字キー１９に、ベース面１３５に操作ボタン１２０が縦と横に配列される２次元配列におけるカーソル１１０の上下左右（縦と横）の移動を割り当て、ダイヤル１８には前記ベース面１３５の移動を割り当てたものである。この実施の形態では、画面上に表示されるベース面がローラー１３６に巻きついたベルトのような表現になっている。十字キー１８にはベース面１３５に２次元配列された操作ボタン１２０の上下左右の移動を行わせる。そして、ダイヤル１８の回転操作で、このベース面１３５が回転してローラーの回転方向（上下方向）に移動する。
【００４１】
例えば、ベース面１３５の左上の操作ボタン１２０ａが選択されたメニュー画面１３０において、十字キー１９の右キーが操作されると、メニュー画面１３１に示すように、カーソル１１０は右側の操作ボタン１２０ｂに移動する。このメニュー画面１３１の状態でダイヤル１８を時計方向に回転させれば、ベース面１３５をＰ３に示す上方へ移動する。
【００４２】
この実施の形態によれば、２次元（縦横など）の軸上をカーソルが動くときに、ダイアルを回してカーソルが動く軸をユーザが操作して変更できるようにすることができ、上下方向（ローラーの回転方向）にスクロールすることが分かりやすい。
（第３の実施の形態）
図６は第３の実施の形態を示すメニュ画面１４０を示している。この実施の形態では、十字キー１９に縦と横にあるいは一方向に２次元配列される回転ローラ１４５の選択時の縦と横または一方向の移動の指示を割り当て、ダイヤル１８には選択されている回転ローラ１４５を回転させて、この回転ローラ１４５に含まれる複数の選択肢の１つを選択する機能に割り当てたものである。
【００４３】
例えば、この実施の形態では、Ａ１、Ａ２などの複数の選択肢を回転させることで選択可能な回転ローラ１４５を上下方向に配列し、この回転ローラ１４５の選択を十字キー１９に割り当て、ダイヤル１８には、選択された回転ローラ１４５を回転させて、回転ローラ１４５で選択可能な選択枝の１つを特定する機能を割り当てている。
【００４４】
より具体的には、メニュー画面１４０は項目Ｂの回転ローラ１４５が選択状態となっている。この状態で、主操作装置１６の十字キー１９の下キーを押下すると、メニュー画面１４１に示すように項目Ｃの回転ローラ１４５が選択状態となり、この状態でダイヤル１８を回転させると、回転ローラ１４５が回転して、回転ローラ１４５内で選択可能な他の選択肢Ｃ１，Ｃ２などを選択させることができる。
【００４５】
このように、この実施の形態によれば、十字キーがカーソルの移動／ダイヤルの回転がスクロールなど、十字キーとダイヤルの回転が異なる機能に割り当たっていたときに、それを分かりやすく表示することができる。
【００４６】
このように、この実施の形態に係る代表的な情報表示装置では、１つの回転軸を中心とした回転機構を備えたダイヤル座標指示装置（ダイヤル１８）と前記回転軸の中心から放射状の方向へ座標を指示する２次元座標指示装置（十字キー１９）とを備えた操作装置と、メニュー画面を表示する表示装置と、前記操作装置からの操作信号に基づいて前記表示装置に表示するメニュー画面のカーソルを移動させて各種の情報を選択して表示する情報表示装置において、前記制御装置が、前記２次元座標指示装置からの移動方向の操作信号を受け付けて、前記カーソルの表示形態を前記移動方向に対応した形状に変更し、前記ダイヤル座標指示装置からの回転方向の操作信号を受け付けて、前記回転方向の操作信号を前記カーソルの表示形態に沿った移動方向に置き換えて前記カーソルを移動させるようにする。これによって、カーソル表示とダイヤル座標指示装置と２次元座標指示装置の操作方向が関連付けられた操作性に優れた情報表示装置が提供される。
【００４７】
なお、上記実施の形態においては、リモコンに設けられたダイヤルおよび十字キーを操作してカーソルを移動させる例を説明したが、リモコンに限らず、例えば、情報表示装置本体に設けられたダイヤルおよび十字キーの操作により、同様の表示やカーソル移動を実現することも可能である。
【図面の簡単な説明】
【００４８】
【図１】第１の実施の形態に係る情報表示装置の概略構成図である。
【図２】情報表示装置の動作フローチャート図である。
【図３】選択状態のカーソルの状態表示部の表示形態図である。
【図４】カーソルの動作画面である。
【図５】第２の実施の形態に係る情報表示装置の操作画面図である。
【図６】第３の実施の形態に係る情報表示装置の操作画面図である。
【図７】従来の主操作装置の構造とカーソルの動作図である。
【符号の説明】
【００４９】
１…情報表示装置、２…表示装置、３…情報処理装置本体、４…制御装置、５…記憶装置、６…チューナ部、７…受光部、１０…リモコン、１１…制御装置、１２…表示装置、１３…操作信号発信装置、１４…電源、１５…操作装置、１６…主操作装置、１７…サブ操作装置、１８…ダイヤル、１９…十字キー、１００…メニュー画面、１１０…カーソル、１２０…操作ボタン。
【図１】
2008243117.tif 000003
【図２】
2008243117.tif 000004
【図３】
2008243117.tif 000005
【図４】
2008243117.tif 000006
【図５】
2008243117.tif 000007
【図６】
2008243117.tif 000008
【図７】
2008243117.tif 000009